(57)【要約】【課題】本願発明は、簡単な構造により、高さを低くすることのできる多極型ヒュージブルリンクを提供する。【解決手段】入力端子部１１０と、当該入力端子部１１０から入力された電流が流れるバスバー部１２０と、当該バスバー部１２０に、可溶体部１３０を介して接続された複数の端子部１４０とを備えた多極型ヒュージブルリンク１００であって、前記可溶体部１３０が接続される前記バスバー部１２０の下端部１２２と、当該下端部１２２の反対側の上端部１２１との間の幅が、前記下端部１２２に接続される前記可溶体部１３０に応じて変更され、その変更は、前記下端部１２２の形状を変更することでなされることを特徴とする。【選択図】図１
2014211963.tif 000002
【特許請求の範囲】
【請求項１】
入力端子部と、当該入力端子部から入力された電流が流れるバスバー部と、当該バスバー部に、可溶体部を介して接続された複数の端子部とを備えた多極型ヒュージブルリンクであって、
前記可溶体部が接続される前記バスバー部の下端部と、当該下端部の反対側の上端部との間の幅が、前記下端部に接続される前記可溶体部に応じて変更され、
その変更は、前記下端部の形状を変更することでなされることを特徴とする多極型ヒュージブルリンク。
【請求項２】
前記バスバー部の前記下端部と前記上端部との間の幅は、
前記入力端子部側よりも、当該入力端子部とは反対側の末端部側の方が狭くなるように、前記下端部の形状を変更したことを特徴とする請求項１に記載の多極型ヒュージブルリンク。
【請求項３】
前記可溶体部は、その定格が、前記入力端子部側よりも前記末端部側の方が小さくなるように配置されていることを特徴とする請求項２に記載の多極型ヒュージブルリンク。
【発明の詳細な説明】
【技術分野】
【０００１】
本願発明は、主に自動車用電気回路等に用いられる多極型ヒュージブルリンクに関する。
【背景技術】
【０００２】
従来から、多極型ヒュージブルリンクは、自動車などにおいてバッテリと各種電装品との間に過電流が流れた場合に各種電装品を保護するために使用されてきた。図３（ａ）に示すように、従来から知られている多極型ヒュージブルリンク２００は、主に、入力端子部２１０と、当該入力端子部２１０から入力された電流が流れる平面視略長方形状のバスバー部２２０と、当該バスバー部２２０に可溶体部（２３０Ａから２３０Ｄ）を介して接続された複数の端子部（２４０Ａから２４０Ｄ）からなる。
【０００３】
そして、多極型ヒュージブルリンク２００の入力端子部２１０には、バッテリ電源等が接続され、端子部（２４０Ａから２４０Ｄ）には各種電装品が接続される。これにより、バッテリ電源等と各種電装品の間の電気回路中にヒューズが設けられる構成となる。そして、電気回路中に意図しない高電流が流れた場合には、可溶体部２３０が高電流による発熱により溶断して、各種電装品に過度な電流が流れないように保護している。
【０００４】
また、複数の端子部２４０を備える多極型ヒュージブルリンク２００は、各端子部２４０とバスバー部２２０との間に、様々な定格の可溶体部２３０が接続される。例えば、図３（ａ）に示す多極型ヒュージブルリンク２００は、入力端子部２１０に近い側から、定格が５０Ａ（アンペア）の可溶体部２３０Ａ、定格が４０Ａの可溶体部２３０Ｂ、定格が３０Ａの可溶体部２３０Ｃ、定格が２０Ａの可溶体部２３０Ｄが接続されている。なお、図面上では、各可溶体部の定格を、接続されている端子部２４０上に、便宜的に表示している。
【０００５】
ところで、これら可溶体部は、一般的に、定格が小さくなると、可溶体部の抵抗値を大きくするために、可溶体部の全長、つまり高さを高くしている。例えば、図３（ａ）に示すように、定格が５０Ａの可溶体部２３０Ａの高さa１、定格が４０Ａの可溶体部２３０Bの高さa２、定格が３０Ａの可溶体部２３０Cの高さa３、定格が２０Ａの可溶体部２３０Dの高さa４は、定格が小さくなるにつれて、その高さが高くなっている（a１＜a２＜a３＜a４）。
【０００６】
また、各端子部２４０の形状や配置には、様々なものが考えられるが、本明細書では、説明の都合上、各端子部２４０の高さはｄ０で不変で、各端子部２４０の下端は、全て横一列に揃えるものとする。また、各可溶体部の高さa１からa４も、不変とする。
【０００７】
そのため、図３（ａ）に示すように、横一列に並べられた各可溶体部２３０の高さは、入力端子部２１０から離れるほど、高さa１、a２、a３、a４と次第に高くなっている。
【０００８】
そして、平面視略長方形状のバスバー部２２０の下端部２２２は直線状なので、高さが最も高い可溶体部２３０Dに下端部２２２が接続されると、他の可溶体部２３０A、可溶体部２３０B、及び可溶体部２３０Cのそれぞれの先端と下端部２２２の間に隙間ができ、互いに接続できなくなる。そのため、それぞれの可溶体部の先端に、高さ調節部２５０A、高さ調節部２５０B、及び高さ調節部２５０Cを設けて、各可溶体部と下端部２２２とが接続できるようにしている。
【０００９】
以上の構成からなる多極型ヒュージブルリンク２００の高さＬ０は、Ｌ０＝（ｃ０＋ａ４＋ｄ０）となる。この高さa４、及び高さｄ０は、不変であるから、高さＬ０は、バスバー部２２０の幅ｃ０に左右される。しかしながら、このバスバー部２２０は、平面視略長方形状をしており、その幅ｃ０は均一であることから、これ以上、多極型ヒュージブルリンク２００の高さL０を低くするには限界がある。そして、このように、多極型ヒュージブルリンク２００の高さの寸法規制が厳しいため、例えば、多極型ヒュージブルリンク２００を取り付けるヒューズボックスを小さくできない等の問題があった。
【００１０】
一方、特許文献１に開示されている多極型ヒュージブルリンクは、可溶体部の溶断時間のばらつきを抑制するために、バスバー部の上端部を傾斜させたことを特徴としており、図３（ｂ）に、この特徴を備えた多極型ヒュージブルリンク３００を示した。しかしながら、図３（ｂ）からわかるように、バスバー部３２０の上端部３２１を傾斜させたとしても、多極型ヒュージブルリンク３００の高さは、図３（ａ）に示す多極型ヒュージブルリンク２００の高さＬ０と変わらず、上記問題を解決できるものではない。
【先行技術文献】
【特許文献】
【００１１】
【特許文献１】特開２０１２−２３０８５６号公報
【発明の開示】
【発明が解決しようとする課題】
【００１２】
そこで、本願発明は、上記問題に鑑み、簡単な構造により、全体の高さを低くすることのできる多極型ヒュージブルリンクを提供することを目的とする。
【課題を解決するための手段】
【００１３】
本願発明の多極型ヒュージブルリンクは、入力端子部と、当該入力端子部から入力された電流が流れるバスバー部と、当該バスバー部に、可溶体部を介して接続された複数の端子部とを備えた多極型ヒュージブルリンクであって、前記可溶体部が接続される前記バスバー部の下端部と、当該下端部の反対側の上端部との間の幅が、前記下端部に接続される前記可溶体部に応じて変更され、その変更は、前記下端部の形状を変更することでなされることを特徴としている。
【００１４】
上記特徴によれば、バスバー部の下端部と上端部の幅（以下、簡単に、「バスバー部の幅」と呼ぶ）が、下端部の形状を変更することで、変更されている。つまり、下端部の形状を変更してバスバー部の幅を狭くすれば、その狭くなった分だけ、可溶体部を配置できる高さ方向のスペースを確保することができる。すなわち、バスバー部の下端部が削られて、その削られた部分に可溶体部を配置できるので、バスバー部全体が、可溶体部側へ移動することができ、その結果、多極型ヒュージブルリンク全体の高さが低くなるのである。
【００１５】
このように、多極型ヒュージブルリンク全体の高さが低くなれば、当該多極型ヒュージブルリンクを取り付けるヒューズボックス自体を小さくできる。また、多極型ヒュージブルリンクは、導電性の金属枚を打ち抜いて形成されているので、多極型ヒュージブルリンクの高さが低くなれば、１枚の金属板から生産できる多極型ヒュージブルリンクの数も増え、歩留りが向上する。
【００１６】
さらに、本願発明の多極型ヒュージブルリンクは、前記バスバー部の前記下端部と前記上端部との間の幅が、前記入力端子部側よりも、当該入力端子部とは反対側の末端部側の方が狭くなるように、前記下端部の形状を変更したことを特徴としている。
【００１７】
多極型ヒュージブルリンクでは、入力端子部から入力された電流が、バスバー部を流れてゆき、下流の端子部へと分岐していく。したがって、入力端子部から離れるほど、各端子部へ電流が分岐していくので、バスバー部を流れる電流は少なくなっていく。そのため、流れる電流の減少に応じて、バスバー部の幅は、入力端子部側よりも、当該入力端子部とは反対側の末端部側の方を狭くできる。したがって、バスバー部の幅を流れる電流に応じて最適にすることができる。
【００１８】
さらに、本願発明の多極型ヒュージブルリンクでは、可溶体部は、その定格が、入力端子部側よりも末端部側の方が小さくなるように配置されていることを特徴としている。
【００１９】
多極型ヒュージブルリンクでは、定格の大きな可溶体部は、定格の小さな可溶体部に比べて発熱が大きいため、入力端子部に近い方に定格の大きな可溶体部を配置し、入力端子部から遠い方に定格の小さな可溶体部を配置することが望ましい。つまり、可溶体部の定格が入力端子部側よりも末端部側の方が小さくなるように配置すると、各可溶体部の配置が最適となる。
【発明の効果】
【００２０】
上記したように、本願発明の多極型ヒュージブルリンクによれば、簡単な構造により、従来の多極型ヒュージブルリンクに比べて、その全体の高さを低くすることができる。
【図面の簡単な説明】
【００２１】
【図１】本願発明に係る多極型ヒュージブルリンクの平面図である。
【図２】（ａ）は、本願発明の多極型ヒュージブルリンクの平面図、（ｂ）は、本願発明の多極型ヒュージブルリンクに絶縁ハウジングを取り付けた平面図である。
【図３】（ａ）は、従来の多極型ヒュージブルリンクの平面図、（ｂ）は、他の従来の多極型ヒュージブルリンクの平面図である。
【発明を実施するための形態】
【００２２】
以下に、本願発明の実施形態について、図面を用いて説明する。なお、図１から図３においては、従来の多極型ヒュージブルリンクと比較検討を行いやすくするために、各可溶体部の定格及び高さ、端子部の高さｄ０、バスバー部の入力端子部側の幅ｃ０は変更しないものとする。なお、以下で説明する実施形態におけるバスバー部の形状や、可溶体部の定格や形状等は、一例を示すものであって、これらに限定されるものではない。
【００２３】
図１は、本願発明の多極型ヒュージブルリンク１００を示すもので、この多極型ヒュージブルリンク１００は、入力端子部１１０とバスバー部１２０と、バスバー部１２０の下端部１２２に接続された可溶体部１３０と、可溶体部１３０を介して端子部１４０が接続されている。
【００２４】
また、可溶体部１３０の配置順序は、従来の多極型ヒュージブルリンク２００と同様に、入力端子部１１０に近い方から、定格が５０Ａでその長さがa１の可溶体部１３０Ａ、定格が４０Ａでその長さがa２の可溶体部１３０Ｂ、定格が３０Ａでその長さがa３の可溶体部１３０Ｃ、定格が２０Ａでその長さがa４の可溶体部１３０Ｄが接続されている。
【００２５】
図１に示すように、本願発明の多極型ヒュージブルリンク１００では、バスバー部１２０の幅が、従来のように一定ではなく（図３（ａ）参照）、末端部１２３に向かうにつれて狭くなっている。以下では、バスバー部１２０の幅をこのように変更した理由について簡単に説明する。
【００２６】
多極型ヒュージブルリンク１００に流れる電流は、まず、入力端子部１１０から入力され、末端部１２３へ向けてバスバー部１２０内を流れていく。その過程で、電流は、各可溶体部１３０を介して各端子部１４０へと分岐していく。詳しく説明すると、まず、入力端子部１１０に１４０Ａの電流が入力される。そして、入力端子部１１０から末端部１２３へ進むにつれて、可溶体部１３０Ａへは、５０Ａの電流が分岐する。すると、Ａ地点から末端部１２３側へ流れる電流は、分岐した５０Ａ分だけ減るので、９０Ａとなる。
【００２７】
したがって、Ａ地点より末端部１２３側のバスバー部１２０の幅は、そこに流れる９０Ａの電流に応じて、幅ｃ０より狭い幅ｂ１とすることができる。すなわち、上端部１２１と下端部１２２の幅が狭くなるように、下端部１２２の形状を傾斜するように変更できる。
【００２８】
同様に、Ａ地点より末端部１２３側のＢ地点では、末端部１２３側へ流れる電流は、可溶体部１３０Ｂに分岐した４０Ａ分だけ減るので、５０Ａとなる。したがって、Ｂ地点より末端部１２３側のバスバー部１２０の幅は、そこに流れる５０Ａの電流に応じて、幅ｂ１より狭い幅ｂ２することができる。
【００２９】
このように、入力端子部１１０から離れるにつれて、流れる電流は、各可溶体部へ分岐して少なくなることから、入力端子部１１０から最も離れた末端部１２３では、バスバー部１２０の幅ｂ３は最小となる。以上のように、バスバー部１２０の幅を、流れる電流に応じて次第に狭くして最適にすることができる。
【００３０】
そして、図１に示すように、バスバー部１２０の幅がｂ１、ｂ２、ｂ３と次第に狭くなった分だけ、バスバー部１２０の下端部１２２には、各可溶体部（１３０Bから１３０D）を配置できるスペースSが確保される。したがって、このスペースＳの分だけ、バスバー部１２０を各可溶体部１３０へ近づけることができ、その結果、多極型ヒュージブルリンク１００全体の高さが低くなるのである。
【００３１】
具体的には、幅ｂ３＜ｃ０の関係より、多極型ヒュージブルリンク１００の高さＬ１＝（ｂ３＋ａ４＋ｄ０）は、従来の多極型ヒュージブルリンク２００の高さＬ０＝（ｃ０＋ａ４＋ｄ０）より低くなっているのがわかる。
【００３２】
また、図１に示すように、各可溶体部（１３０Ａから１３０Ｄ）を、入力端子部１１０側から離れるにつれて定格が次第に小さくなるように並べて配置している。これは、定格の大きな可溶体部は、定格の小さな可溶体部に比べて発熱が大きいため、入力端子部２１０に近い方に定格の大きな可溶体部を配置し、入力端子部２１０から遠い方に定格の小さな可溶体部を配置することが望ましく、最適な配置だからである。
【００３３】
そして、定格の小さな可溶体部ほど、その高さが高くなるので、この図１に示す各可溶体部の配置は、入力端子部１１０側から離れるほど、各可溶体部の高さが次第に高くなるものである。
【００３４】
一方、バスバー部１２０の幅は、入力端子部１１０側から離れるほど狭くなるようにしている。そのため、入力端子部１１０側から離れるほど、バスバー部１２０の下端部１２２には、可溶体部を配置できる高さ方向のスペースが確保されている。
【００３５】
つまり、入力端子部１１０側から離れるほど、各可溶体部の高さが次第に高くなるが、その一方で、バスバー部１２０の幅も次第に狭くなっており、それにより、高さが高くなっていく各可溶体部を配置できるスペースが確保されているのである。
【００３６】
したがって、入力端子部２１０側から離れるほど幅が狭くなるバスバー部１２０の形状は、入力端子部１１０側から離れるほど定格が小さくなる各可溶体部の配置に、最もよく適合しており、無駄がなく最適なものとなる。
【００３７】
なお、本実施形態では、バスバー部の下端部を直線状に傾斜させることで、バスバー部の幅を狭くしているが、これに限定されることはなく、段階的に幅を狭くするなど、任意に変更することができる。
【００３８】
では、次に、本願発明の多極型ヒュージブルリンクに、絶縁ハウジングを取り付けた態様を図２に示す。
【００３９】
多極型ヒュージブルリンク１００は、厚さが均一の金属板を図２（ａ）に示すような形状に打ち抜いて、バスバー部１２０、可溶体部１３０、端子部１４０を一体的に形成している。金属板の素材としては、銅等の導電性金属を用いることができる。なお、バスバー部１２０、可溶体部１３０、及び端子部１４０は、一枚の板を打ち抜いて一体形成しなくても、各部材を個別に用意して、それらを溶接して形成してもよい。
【００４０】
次に、図２（ｂ）に示すように、絶縁性の合成樹脂等からなる絶縁ハウジングＨを、多極型ヒュージブルリンク１００の上下から挟み込むように装着する。ただし、多極型ヒュージブルリンク１００の入力端子部１１０と端子部１４０は、ヒューズボックス等と接続するために、露出した状態となっている。また、可溶体部１３０は、絶縁ハウジングＨの透明窓Ｗに覆われているので、可溶体部１３０を外部から視認することができる。そして、絶縁ハウジングＨが装着された状態の多極型ヒュージブルリンク１００は、ヒューズボックス等に取り付けられて使用される。
【００４１】
なお、本願発明の多極型ヒュージブルリンクは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００４２】
本願発明の多極型ヒュージブルリンクの用途は、自動車用電気回路用に限られず、種々の用途の電気回路にヒューズとして使用でき、これらも本願発明の範囲に含まれることは勿論である。
【符号の説明】
【００４３】
１００  多極型ヒュージブルリンク
１１０  入力側端子部
１２０  バスバー部
１２１  上端部
１２２  下端部
１２３  末端部
１３０  可溶体部
１４０  端子部
【図１】
2014211963.tif 000003
【図２】
2014211963.tif 000004
【図３】
2014211963.tif 000005